(57)【要約】【課題】充電する度毎に接続端子がクリーニングされるようにした電源システムを提供する。【解決手段】内部に電装品を収納した本体５には、充電器７に設けられる第３接続端子７１，７２または本体５に接続される外部接続器に設けられる第１接続端子に対して接続自在な第２接続端子５１、５２が設けられ、第３接続端子７１，７２または第１接続端子に接触する第２接続端子５１，５２の接触面ｓ，ｓが、充電器７の第３接続端子７１，７２に対して本体５を挿抜する方向に沿って形成されている。【選択図】  図１４
2005005157.tif 000002
【特許請求の範囲】
【請求項１】
内部に電装品を収納した本体には、充電器に設けられる第３接続端子または前記本体に接続される外部接続器に設けられる第１接続端子に対して接続自在な第２接続端子が設けられ、
前記第３接続端子または前記第１接続端子に接触する前記第２接続端子の接触面が、前記充電器の第３接続端子に対して前記本体を挿抜する方向に沿って形成されていることを特徴とする電源システム。
【請求項２】
前記外部接続器が、二次電池ケースであることを特徴とする請求項１に記載の電源システム。
【請求項３】
前記第３接続端子は、板金材からなり、前記第２接続端子の接触面に対して、圧接状態に接触することを特徴とする請求項１に記載の電源システム。
【請求項４】
前記第２接続端子は、板金材からなり、前記第２接続端子の接触面は、前記第３接続端子または前記第１接続端子に対して圧接状態で接触することを特徴とする請求項１に記載の電源システム。
【発明の詳細な説明】
【０００１】
【発明の属する技術分野】
本発明は、電源システムに係り、詳しくは、電装品を内蔵した本体と電源を接続するための接続端子のクリーニング機構に関する。
【０００２】
【従来の技術】
図１は、従来の電気機器本体を示し、図１（ａ）は正面図、（ｂ）は底面図、（ｃ）は裏面図、（ｄ）は側面図である。この電気機器の本体１の底面には、外部との電気的接続を行うための接続端子（＋）１１および接続端子（−）１２が設けられ、その両端子間には、図２に示す二次電池ケース２との確実な接続状態を確保するために、その二次電池ケース２を本体１に固定するネジ孔１４が設けられている。また、本体１の裏面には、充電器３との接続を確実に行うための引っ掛け凹部１３が形成されている。
【０００３】
図２は、二次電池を収納するための二次電池ケース２を示し、この二次電池ケース２には、本体１の接続端子（＋）１１および接続端子（−）１２に接続される接続端子（＋）２１および接続端子（−）２２が形成され、その両端子間には、本体１のネジ孔１４に螺合するネジ２３が形成されている。その両接続端子２１，２２は、図示省略の弾発部材によって接続方向に付勢されており、各端子１１，２１および１２，２２を接続した状態でネジ孔１４にネジ２３を螺合させれば、図３に示すように、本体１の底面に二次電池ケース２を一体化することができる。
【０００４】
このとき、図４（ａ），（ｂ）に示すように、二次電池ケース２の接続端子２１，２２が、本体１の接続端子１１，１２に当接状態に係合することにより、二次電池ケース２内に収納された二次電池から電源回路（図示省略）を介して本体１の電装品（図示省略）に対して電力を供給することができる。
【０００５】
図５は、本体１内に収納された一次電池を充電するための充電器３を示す。この充電器３は、本体１の底部を嵌め込むための凹部３４内に、本体の接続端子１１，１２に接続される接続端子３１，３２を有し、その両接続端子３１，３２は板バネ３５によって上方に付勢されている。その両端子間には、本体１の引っ掛け凹部１３に係合するロック爪３３を備え、かつ、外部の商用電源に接続するための接続コード（図示省略）を有している。
【０００６】
図６に示すように、本体１を充電器３に装着すると、図７に示すように、本体１の裏面に設けた引っ掛け部１３が充電器３のロック爪３３に係合することによって装着状態が維持される。この状態では、図８に示すように、充電器３に設けた接続端子３１，３２と、本体１に設けた接続端子１１，１２と、が接続され、本体内部に装着されている一次電池への充電が可能となる。
【０００７】
このような電源システムの具体的な例として、ＭＤプレーヤを容易に着脱することができ、所定の保持位置からのＭＤプレーヤの位置ずれを防止して安定した接続状態を維持することができる充電台が提案されている（例えば、特許文献１参照）。これらの場合、本体底面の端子が、充電端子のばね付勢力に逆らってこれら充電端子を下方に押し下げる共に、本体の重量によって、充分な接触圧を得て、充電端子と本体側の端子とが電気的に接続されるように構成されている。
【０００８】
【特許文献１】
特開２００１−５２７６１号公報（段落「００１０」〜「００１４」，「００１８」、図１２）
【０００９】
【発明が解決しようとする課題】
上述のように、従来では、本体１の二次電池ケース２への接続と充電器３への接続は、本体１の底面に設けられた接続端子１１，１２によって行われ、その接続端子１１，１２と二次電池ケース２の接続端子２１，２２との当接状態（図４参照）、および、接続端子１１，１２と充電器３の接続端子３１，３２との当接状態は（図８参照）、いずれも、二次電池ケース２および充電器３に対する本体１の離間方向（ないしは挿抜方向）への付勢力を伴った当接状態であった。
【００１０】
従って、接続端子の表面に汚れや異物が付着していると、端子間の付勢力によって押さえ付けられるため、これらが接続端子に付着しやすくなる。そのため、本体１が長時間放置されたり、または使用している間に端子表面に汚れが発生すると、接続端子間で接触不良を起こしやすく、安定した電源供給ができなくなるという問題が発生していた。
【００１１】
本発明は、このような実情に鑑みてなされ、常に、接続端子が清浄な状態に保たれるようにした電源システムを提供することを目的とする。
【００１２】
【課題を解決するための手段】
本発明は、上述の課題を解決するための手段を以下のように構成している。
【００１３】
（１）内部に電装品を収納した本体には、充電器に設けられる第３接続端子または前記本体に接続される外部接続器に設けられる第１接続端子に対して接続自在な第２接続端子が設けられ、
前記第３接続端子または前記第１接続端子に接触する前記第２接続端子の接触面が、前記充電器の第３接続端子に対して前記本体を挿抜する方向に沿って形成されていることを特徴とする。
【００１４】
この構成においては、本体の第２接続端子の接触面が、外部接続器の第１接続端子または充電器の第３接続端子に対して、その充電器に対して本体を挿抜する方向に沿って形成されることで、外部接続器に接続するたびに、また、充電する度毎に、端子同士の接触面が擦り合わされるため、接触面がクリーニングされ、清浄な状態を保つことができる。従って、常に、確実な導通状態を得ることができ、本体内に収納されている電装品を正常に起動させることができる。
【００１５】
（２）前記外部接続器が、二次電池ケースであることを特徴とする。
【００１６】
この構成においては、本体に、二次電池ケースを接続する際には、本体の第２接続端子の接触面が、第１接続端子によってクリーニングされるため、常に、確実な導通状態を得ることができる。
【００１７】
（３）前記第３接続端子は、板金材からなり、前記第２接続端子の接触面に対して、圧接状態に接触することを特徴とする。
【００１８】
この構成においては、第３接続端子が、第２接続端子に対して圧接状態に接触するため、第２接続端子が良好にクリーニングされる。
【００１９】
（４）前記第２接続端子は、板金材からなり、前記第２接続端子の接触面は、前記第３接続端子または前記第１接続端子に対して圧接状態で接触することを特徴とする。
【００２０】
この構成においては、第２接続端子が、第３接続端子または第１接続端子に対して圧接状態に接触するため、第２接続端子の接触面が良好にクリーニングされる。
【００２１】
【発明の実施の形態】
以下に、本発明の実施形態に係る電源システムについて図面を参照しつつ詳細に説明する。
【００２２】
図９は、例えば、ＭＤプレーヤー等の電子機器の本体５を示し、図９（ａ）は一部破断正面図、（ｂ）は底面図、（ｃ）は裏面図である。これらの図に示すように、本体５の底面には、外部から電力の供給を受けるための第２接続端子（＋）５１，（−）５２が設けられている。その両接続端子５１，５２間には、二次電池ケース（本発明の外部接続器）６との組み付け状態を確実にするためのネジ孔５４が設けられている。また、本体５の裏面側には、充電器７との接続状態を確実にするための引っ掛け凹部５３が形成されている。
【００２３】
上述の第２端子５２は、板金材からなり、これを折曲して凸状に形成した当接部５２ａと、その当接部５２ａから折曲延長された延在部５２ｂは、一点鎖線の円内に拡大して図示するように、折り曲げ状に形成され、その延在部５２ｂの内側には、本体５に対して、二次電池ケース６に接続する方向に沿って形成された接触面ｓを有している。
【００２４】
その当接部５１ａ，５２ａが、図１１（ａ），（ｂ）に示すように、弾発力によって、二次電池ケース６の第１接続端子６１，６２に対して付勢状態で当接し確実な導通状態が形成される。なお、図１１（ａ），（ｂ）では、第２接続端子（−）５２と第１接続端子（−）６２との接続関係を示しているが、第２接続端子（＋）５１は、第２接続端子（−）５２と対称に形成される。なお、第２接続端子（＋）５１も、第２接続端子（−）５２と同様に形成され、第２接続端子（−）５２と対称に配設される。
【００２５】
より具体的には、図１１（ｂ）に示すように、本体５の凸上に折曲形成された当接部５１ａ，５２ａが、第１接続端子６１，６２の肩部ｋに付勢当接し、かつ、延在部５１ｂ，５２ｂの接触面ｓ，ｓが、第１接続端子６１，６２の側面ｈに付勢当接するため、水平方向と垂直方向の２方向で接触面が形成されるため、確実な導通状態が得られ、本体５内の電装品に対して安定に電力を供給することができる。
【００２６】
また、その第１接続端子６１，６２または第２接続端子５１，５２の表面に汚れや異物が付着していても、接続する際に、端子同士の接触面が互いに擦り合わされることで、互いにクリーニングされるため、常に、確実な導通状態を得ることができる。
【００２７】
図１２は、本体５に装入された充電電池（図示省略）を充電するための充電器７を示す。この充電器７には、本体５の底面を嵌め込むための凹部７４内に、本体５の第２接続端子（＋）５１，（−）５２に係合する第３接続端子（＋）７１，（−）７２と、本体５の引っ掛け凹部５３に係止される引っ掛け部（ロック爪）７３と、が設けられている。その第３接続端子（＋）７１，（−）７２は弾性部材からなる。
【００２８】
このような充電器７に対して、図１３および図１４に示すように、本体５を嵌め込むと、端子５２，７２間の接触面における荷重はＣ−Ｄ方向に作用する。つまり、本体５の挿抜方向に直交する方向に圧接力が作用する。そのため、本体５を充電器７に対してＡ−Ｂ方向に着脱する毎に、本体５の延在部５１ｂ，５２ｂの内側に形成された接触面ｓ，ｓと、充電器７の第３接続端子７１，７２とが互いに擦り合わされるため、クリーニング作用が発生し、常に、延在部５１ｂ，５２ｂの接触面ｓ，ｓが清浄な状態に保たれることとなる。
【００２９】
従って、充電電池を充電した後に、本体５に二次電池ケース６を接続した際にも、良好な導通状態を得ることができる。なお、本体５に二次電池ケース６を接続した図１１（ｂ）に示す状態では、本体５の凸状に折曲形成された当接部５１ａ，５２ａが、第１接続端子６１，６２の肩部ｋに付勢当接することによって、清浄化された延在部５１ｂ，５２ｂの接触面ｓ，ｓが、第１接続端子６１，６２の側面ｈにより強く付勢当接するため、より一層良好な導通状態が得られる。また、第１接続端子６１，６２の先端部と対応する延在部５１ｂ，５２ｂの内側（接触面ｓの上方）には、異物や汚れを収容するためのスペースｐが形成されている。
【００３０】
【発明の効果】
以上の説明から明らかなように、本発明は、以下の効果を奏する。
【００３１】
（１）本体の第２接続端子の接触面が、外部接続器の第１接続端子または充電器の第３接続端子に対して、その充電器に対して本体を挿抜する方向に沿って形成されるので、外部接続器に接続するたびに、また、充電する度毎に、端子同士の接触面が擦り合わされるため、接触面がクリーニングされ、清浄な状態を保つことができる。従って、常に、確実な導通状態を得ることができ、本体内に収納されている電装品を正常に起動させることができる。
【００３２】
（２）本体に、二次電池ケースを接続する際には、本体の第２接続端子の接触面が、第１接続端子によってクリーニングされるので、常に、確実な導通状態を得ることができる。
【００３３】
（３）第３接続端子が、第２接続端子に対して圧接状態に接触するので、第２接続端子が良好にクリーニングされる。
【００３４】
（４）第２接続端子が、第３接続端子または第１接続端子に対して圧接状態に接触するので、第２接続端子の接触面が良好にクリーニングされる。
【図面の簡単な説明】
【図１】従来の電源システムの一例を示す本体の説明図である。
【図２】同二次電池ケースの説明図である。
【図３】同本体に二次電池ケースを連結した状態の説明図である。
【図４】同本体の接続端子と二次電池ケースの接続端子の接続状態の説明図である。
【図５】同充電器の説明図である。
【図６】同本体を充電器に装着した状態の説明図である。
【図７】同本体を充電器にロックさせる過程の説明図である。
【図８】同本体の接続端子を充電器の接続端子に接続する過程の説明図である。
【図９】本発明の実施形態に係る電源システムの本体の説明図である。
【図１０】同本体と二次電池ケースの対応関係を示す説明図である。
【図１１】同本体の接続端子と二次電池ケースの接続端子の接続状態の説明図である。
【図１２】同充電器の説明図である。
【図１３】同本体の充電器の対応関係を示す説明図である。
【図１４】同本体の接続端子が充電器の接続端子によってクリーニングされる状態の説明図である。
【符号の説明】
５−本体
６−外部接続器
７−充電器と、
５１，５２−第２接続端子
６１，６２−第１接続端子
７１，７２−第３接続端子
５１ａ，５２ａ−当接部
５１ｂ，５２ｂ−延在部
ｓ−接触面
【図１】
2005005157.tif 000003
【図２】
2005005157.tif 000004
【図３】
2005005157.tif 000005
【図４】
2005005157.tif 000006
【図５】
2005005157.tif 000007
【図６】
2005005157.tif 000008
【図７】
2005005157.tif 000009
【図８】
2005005157.tif 000010
【図９】
2005005157.tif 000011
【図１０】
2005005157.tif 000012
【図１１】
2005005157.tif 000013
【図１２】
2005005157.tif 000014
【図１３】
2005005157.tif 000015
【図１４】
2005005157.tif 000016